(57)【要約】【課題】日常の生活の中で、高齢者、小さな子供などが、茶碗に付いているご飯粒をきれいに食べることができ、且つ、安定して茶碗を保持することができるステム付茶碗を提供する。【解決手段】ステム付茶碗１００は、ご飯を盛りつける盛り口１０と、茶碗本体２０と、茶碗本体２０と一体的に形成されているステム３０と、ステム３０と一体的に形成されている高台４０を有しており、茶碗本体２０と高台４０が、ステム３０を介して一体的になるように形成されている。ステム付茶碗１００は、茶碗本体２０の本体内面２０ａの一部または全部と本体外面２０ｂの一部または全部が、凹凸面Ｔになるように形成されている。ステム付茶碗１００は、ステム３０を、親指と人差し指で挟む、人差し指と中指で挟む、中指と薬指で挟む、または薬指と小指で挟むことにより、凹凸面Ｔによる滑り止めの効果に加えて、しっかりと保持することができるという顕著な効果を有している。【選択図】図１
0003221428.tif 000002
【実用新案登録請求の範囲】
【請求項１】
ご飯を盛りつける盛り口と、前記盛り口を開口とする茶碗本体と、前記茶碗本体と一体的に形成されているステムと、前記ステムと一体的に形成されている高台と、を有し、
前記茶碗本体と前記高台が、前記ステムを介して一体的になるように形成されており、
前記茶碗本体の本体内面の一部または全部が、凹凸面になるように形成されていることを特徴とするステム付茶碗。
【請求項２】
前記茶碗本体の本体外面の一部または全部が、凹凸面になるように形成されていることを特徴とする請求項１に記載のステム付茶碗。
【請求項３】
合成樹脂、陶器、磁器、漆器、ガラス製、金属製、合成樹脂製、木製であることを特徴とする請求項１または請求項２に記載のステム付茶碗。
【考案の詳細な説明】
【技術分野】
【０００１】
本考案は、ステム付茶碗に関する。
【背景技術】
【０００２】
茶碗は、食器類として、主にご飯を盛るのに用いられるものであり、食物の付着を抑制するために内部に突起が設けられているものが知られており、また、食器類の裏面の一部又は全部に形成された凹凸面による手の滑り止め効果により、食器類を強く掴むことなく、手からの食器類の離脱を防ぐことができ、使用の安全性、利便性及び快適性を高めることができる食器類が知られている。
【先行技術文献】
【特許文献】
【０００３】
【特許文献１】実登３２１１５７５号公報
【考案の概要】
【考案が解決しようとする課題】
【０００４】
上記のとおり茶碗を含む食器類の一例として、内部が凹凸面となるように成形されているものが開示されているが、例えば、高齢者、お箸を使いはじめた稚い小さな子供などにおいて、茶碗に付いているご飯粒をきれいに食べることが求められていることに加え、しっかりと手で保持することができるものが求められていた。
【０００５】
本考案は、こうした点に鑑みてなされたものであり、日常の生活の中で、特に、高齢者、小さな子供などが、茶碗に付いているご飯粒をきれいに食べることができ、且つ、安定して茶碗を保持することができるように形成されているステム付茶碗を提供することである。
【課題を解決するための手段】
【０００６】
上記課題を解決するために、本考案に係るステム付茶碗は、ご飯を盛りつける盛り口と、前記盛り口を開口とする茶碗本体と、前記茶碗本体と一体的に形成されているステムと、前記ステムと一体的に形成されている高台と、を有し、前記茶碗本体と前記高台が、前記ステムを介して一体的になるように形成されており、前記茶碗本体の本体内面の一部または全部が、凹凸面になるように形成されていることを特徴とする。
【０００７】
本考案に係るステム付茶碗の態様について、前記茶碗本体の本体外面の一部または全部が、凹凸面になるように形成されていることが好ましい。
【０００８】
本考案に係るステム付茶碗の態様について、合成樹脂、陶器、磁器、漆器、ガラス製、金属製、合成樹脂製、木製であることが好ましい。
【考案の効果】
【０００９】
本考案によれば、日常の生活の中で、特に、高齢者、小さな子供などが、茶碗に付いているご飯粒をきれいに食べることができ、且つ、安定して茶碗を保持することができるように形成されているステム付茶碗を提供することができる。
【図面の簡単な説明】
【００１０】
【図１】実施形態のステム付茶碗の一例を示す模式図である。
【考案を実施するための形態】
【００１１】
以下、本考案のご飯茶碗の実施形態を、図１を用いて説明する。図１は、本考案のステム付茶碗の一例であるステム付茶碗１００を示す模式図である。なお、本考案における凹凸加工面とは、一般的に樹脂などの部材に凹凸を設ける加工であるが、表面処理においてシボ加工を用いて凹凸を有するしわを形成してもよく、また浮き彫りにする加工でもよく、適宜最適な方法で実施することができる。また、本考案のステム付茶碗１００は、プラスチックなどの合成樹脂、陶器、磁器、漆器、ガラス製、金属製、木製であるが、これらに限定されず適宜最適な部材を選択することができる。さらに、ステム付茶碗１００は、一般的な茶碗、丼などであり、大きさ形状など種々のものがあり限定されるものではない。
【００１２】
ステム付茶碗１００は、ご飯を盛りつける盛り口１０と、盛り口１０を開口とする茶碗本体２０と、茶碗本体２０と一体的に形成されているステム３０と、ステム３０と一体的に形成されている高台４０を有しており、茶碗本体２０と高台４０が、ステム３０を介して一体的になるように形成されている。
【００１３】
すなわち、通常の茶碗は、茶碗本体２０と高台４０から構成されているが、本考案において、茶碗本体２０と高台４０の間にステム３０を設けていることを特徴としており、高齢者などにおいて、茶碗を保持することが困難な場合においても、ステム付茶碗１００のステム３０を指で挟むことにより、容易にステム付茶碗１００を保持することができ、快適に食事をすることができる。なお、ステム３０は、指で挟むことができる軸状の形状のものであり、ワイングラスなどで構成されているものである。
【００１４】
また、ステム付茶碗１００は、茶碗本体２０の本体内面２０ａの一部または全部が、凹凸面Ｔになるように形成されている。さらに、実施形態において、茶碗本体２０の本体外面２０ｂの一部または全部が、凹凸面Ｔになるように形成されている。
【００１５】
上記の構成のステム付茶碗１００は、ご飯を盛る本体内面２０ａ一部または全部が凹凸面Ｔに形成され、ステム付茶碗１００を手で持ち上げる本体外面２０ｂ一部または全部が凹凸面Ｔに形成されていることにより、ご飯を盛るステム付茶碗１００の本体内面２０ａの一部または全部に形成された凹凸面Ｔにより飯粒の付着を防ぐことができ、また、本体外面２０ｂの手で持ち上げる本体外面２０ｂの一部または全部に形成された凹凸面Ｔにより手の滑り止め効果を得ることができる。なお、凹凸面Ｔの形状は、実施例において半円状の突起であるが、これに限定されず大きさを含め適宜最適なものにすればよい。
【００１６】
また、ステム付茶碗１００は、上記のとおり、ステム３０を有していることにより、このステム付茶碗１００を、例えば、親指と人差し指を挟む、人差し指と中指で挟む、中指と薬指で挟む、または薬指と小指で挟むことにより、上記の滑り止めの効果に加えて、しっかりと保持することができるという顕著な効果を有している。このようにステム付茶碗１００は、例えば、箸、フォーク、スプーンなどを用いてご飯などを食べるときに、先端が本体内面の凹凸面Ｔに接した場合であっても、強く掴むことなく、手からの離脱を防ぐことができ、使用の安全性、利便性、快適性などにおいて優れたものである。
【００１７】
以上、本考案の有する特徴及び優れた点を上記実施形態に記載したが、本考案は、本願の実用新案登録請求の範囲で使用されている言葉を広く一般的な意味に拡張して実施することができる。
【００１８】
また、本考案のステム付茶碗は、大きさや形状、素材の種類、厚さ、重さなどについては多様な実施形態が可能であり、それらについて本実施形態と異なる形態による実施は、本考案の技術的範囲に含まれる。
【符号の説明】
【００１９】
１００    茶碗
１０      盛り口
２０      茶碗本体
２０ａ    本体内面
２０ｂ    本体外面
３０      ステム
４０      高台
Ｔ        凹凸面
【図１】
0003221428.tif 000003
【手続補正書】
【提出日】平成31年3月28日(2019.3.28)
【手続補正１】
【補正対象書類名】実用新案登録請求の範囲
【補正対象項目名】全文
【補正方法】変更
【補正の内容】
【実用新案登録請求の範囲】
【請求項１】
ご飯を盛りつける盛り口と、前記盛り口を開口とする茶碗本体と、前記茶碗本体と一体的に形成されているステムと、前記ステムと一体的に形成されている高台と、を有し、
前記茶碗本体と前記高台が、前記ステムを介して一体的になるように形成されており、
前記茶碗本体の本体内面の一部または全部が、凹凸面になるように形成されていることを特徴とするステム付茶碗。
【請求項２】
前記茶碗本体の本体外面の一部または全部が、凹凸面になるように形成されていることを特徴とする請求項１に記載のステム付茶碗。
【請求項３】
合成樹脂、陶器、磁器、漆器、ガラス製、金属製、または木製であることを特徴とする請求項１または請求項２に記載のステム付茶碗。